(57)【要約】【課題】精度良く、確実に蓋の開閉状態を検知する洗濯機を提供すること。【解決手段】操作パネル２７に設けた一対の遮蔽板２６は、それぞれ、操作パネル２７に固定された固定板３３と、固定板３３に軸支され開閉自在の可動板３４、および開閉バネ３２から成り、蓋２８が開状態にある時は、開閉バネ３２の付勢力により可動板３４が閉状態となって、蓋２８の先端裏面に設けた磁石２５の磁気回路が遮断されてリードスイッチ２０の接点が開かれ、蓋２８が閉状態にある時は、蓋２８の磁石２５の左右に形成した凸状リブ３０の押圧により可動板３４が開状態となって、磁石２５の磁気回路によりリードスイッチ２０の接点が閉じられるよう構成することで、安価で、検知精度のよい安全性を高めた洗濯機を実現することができる。【選択図】図１
2013103109.tif 000002
【特許請求の範囲】
【請求項１】
前記衣類投入口を覆うように開閉自在に設けられた蓋と、前記蓋に設けられた磁石と、前記蓋の裏面で磁石の両側に突設された一対の凸状リブと、前記衣類投入口の前部に配設された操作パネルと、前記操作パネルに形成され、前記蓋が閉状態の時に前記凸状リブが遊嵌する一対の貫通穴と、前記操作パネル裏面部に設けられた一対の遮蔽板と、前記操作パネル内の制御装置に前記磁石と対向して配設され、蓋の開閉を検知するリードスイッチとを備え、前記一対の遮蔽板は、それぞれ、前記操作パネルに固定された固定板と、前記固定板に軸支され開閉自在の可動板および開閉バネから成り、前記蓋が開状態にある時は、前記開閉バネの付勢力により前記可動板が閉状態となって、前記磁石の磁気回路が遮断されて前記リードスイッチの接点が開かれ、前記蓋が閉状態にある時は、前記凸状リブの押圧により前記可動板が開状態となって、前記磁石の磁気回路により前記リードスイッチの接点が閉じられる洗濯機。
【発明の詳細な説明】
【技術分野】
【０００１】
本発明は、衣類投入部を開閉する蓋を有する洗濯機に関するものである。
【背景技術】
【０００２】
従来、この種の洗濯機では、蓋の開閉を磁石とリードスイッチを用いて検知する構成が提案されてきた。（例えば、特許文献１参照）。
【０００３】
図５は、特許文献１に記載された従来の洗濯機の縦断面図、図６は、同洗濯機の要部断面図を示す。
【０００４】
図５、図６において、外槽１は、底部に撹拌翼２を回転自在に配設した洗濯兼脱水槽３を回転自在に内包し、吊り棒４により洗濯機外枠５に吊り下げている。モータ６は、減速機構兼クラッチ７を介して、撹拌翼２または洗濯兼脱水槽３を駆動する。排水弁８は洗濯兼脱水槽３内の洗濯水を排水し、給水弁９は洗濯兼脱水槽３に給水するものである。
【０００５】
洗濯兼脱水槽３の上部には脱水時の振動を低減させるための流体バランサー１０を設け、外槽１の上部に内蓋１１を配設している。また、洗濯機本体上面の衣類投入口１２を覆うように蓋１３を開閉自在に配設している。
【０００６】
制御装置１４は、モータ６、排水弁８、給水弁９などの動作を制御し、洗い、すすぎ、脱水の一連の行程を逐次制御するもので、マイクロコンピュータからなる制御手段（図示せず）と、制御手段からの信号によりモータ６、排水弁８、給水弁９などを制御する負荷駆動手段（図示せず）と、操作パネル１７内に配設したキースイッチからなるスイッチ入力手段１８と、発光ダイオードなどの表示装置からなる表示手段１９とを備えている。
【０００７】
リードスイッチ２０は、制御装置１４のプリント基板２３上に実装し、樹脂ケース２４によりリードスイッチ２０を支持し、プリント基板２３から一定の高さをもって固定するようになっている。
【０００８】
また、蓋１３の先端付近に、磁石２５をリードスイッチ２０と対向する位置に配設しており、蓋１３を閉じた状態でリードスイッチ２０の接点は閉じている。そして、制御手段はこのリードスイッチ２０の接点の開閉により、蓋１３の開閉を判断するよう構成している。
【０００９】
上記構成において、蓋１３を開け、洗濯兼脱水槽３に洗濯物と洗剤を投入した後、蓋１３を閉じて運転を開始すると、給水弁９を作動して洗濯兼脱水槽３内に設定水位まで給水し、その後、撹拌翼２を回転駆動することにより、衣類に機械力を加えて、汚れを落とし、すすぎ時においても、洗濯兼脱水槽３内に設定水位まで給水し、撹拌翼２を回転駆動することにより、衣類をすすぐ。
【００１０】
脱水時には、排水弁８を駆動し、洗濯兼脱水槽３内の水を排水した後、モータ６を駆動し、洗濯兼脱水槽３を高速で回転して遠心力で洗濯物の脱水を行う。このとき、洗濯物の状態を見るなどのために、蓋１３を開けると、磁石２５がリードスイッチ２０より離れるため、リードスイッチ２０の接点は開となり、制御手段はモータ６を停止し、減速機構兼クラッチ７に内蔵されているブレーキをかけて洗濯兼脱水槽３の回転を停止させる。
【先行技術文献】
【特許文献】
【００１１】
【特許文献１】特開２００２−３４６２９０号公報
【発明の概要】
【発明が解決しようとする課題】
【００１２】
しかしながら、このような従来の構成では、リードスイッチなどの感度ばらつきや磁石の磁力ばらつき、製造上の取り付けばらつきなど多くのばらつき要素を含んでおり、そのばらつき要素をカバーするために、感度の良いリードスイッチや磁力の強い磁石を使用する必要があった。しかし、そうすると、逆に蓋の開状態を検知した時の蓋の開口部が大きくなり、子供や女性など比較的手の小さな使用者であれば、誤って衣類投入部から手を入れて、高速回転する洗濯兼脱水槽や槽内の洗濯物に触れて怪我をする恐れがあるという課題があった。
【００１３】
本発明は、上記従来の課題を解決するもので、所定の位置で確実に蓋の開閉状態を検知させることができ、安価で、安全性を高めた洗濯機を提供することを目的としている。
【課題を解決するための手段】
【００１４】
前記従来の課題を解決するために、本発明の洗濯機は、前記衣類投入口を覆うように開閉自在に設けられた蓋と、前記蓋に設けられた磁石と、前記蓋の裏面で磁石の両側に突設された一対の凸状リブと、前記衣類投入口の前部に配設された操作パネルと、前記操作パネルに形成され、前記蓋が閉状態の時に前記凸状リブが遊嵌する一対の貫通穴と、前記操作パネル裏面部に設けられた一対の遮蔽板と、前記操作パネル内の制御装置に前記磁石と対向して配設され、蓋の開閉を検知するリードスイッチとを備え、前記一対の遮蔽板は、それぞれ、前記操作パネルに固定された固定板と、前記固定板に軸支され開閉自在の可動板および開閉バネから成り、前記蓋が開状態にある時は、前記開閉バネの付勢力により前記可動板が閉状態となって、前記磁石の磁気回路が遮断されて前記リードスイッチの接点が開かれ、前記蓋が閉状態にある時は、前記凸状リブの押圧により前記可動板が開状態となって、前記磁石の磁気回路により前記リードスイッチの接点が閉じられる構成としたものである。
【００１５】
これにより、蓋が閉じられた状態では、磁石の磁気回路が形成されてリードスイッチの接点が閉じ、確実に蓋の閉状態を検知できる。また、蓋が開かれた状態にあっては、遮蔽板により所定の位置で磁気回路が遮断される為、リードスイッチの接点が開いて、確実に蓋の開状態を検知させることができる。
【発明の効果】
【００１６】
本発明の蓋開閉検知装置は、開閉自在の遮蔽板を設置することにより、所定の位置で確実に蓋の開状態を検知させることができ、安価で、高い安全性を発揮する洗濯機を実現することができる。
【図面の簡単な説明】
【００１７】
【図１】本発明の実施の形態における洗濯機の縦断面図
【図２】同洗濯機の制御装置の概略ブロック回路図
【図３】同洗濯機の蓋閉状態の要部断面図
【図４】同洗濯機の蓋開を始めた状態の要部断面図
【図５】従来の洗濯機の縦断面図
【図６】従来の洗濯機の要部断面図
【発明を実施するための形態】
【００１８】
第１の発明は、前記衣類投入口を覆うように開閉自在に設けられた蓋と、前記蓋に設けられた磁石と、前記蓋の裏面で磁石の両側に突設された一対の凸状リブと、前記衣類投入口の前部に配設された操作パネルと、前記操作パネルに形成され、前記蓋が閉状態の時に前記凸状リブが遊嵌する一対の貫通穴と、前記操作パネル裏面部に設けられた一対の遮蔽板と、前記操作パネル内の制御装置に前記磁石と対向して配設され、蓋の開閉を検知するリードスイッチとを備え、前記一対の遮蔽板は、それぞれ、前記操作パネルに固定された固定板と、前記固定板に軸支され開閉自在の可動板および開閉バネから成り、前記蓋が開状態にある時は、前記開閉バネの付勢力により前記可動板が閉状態となって、前記磁石の磁気回路が遮断されて前記リードスイッチの接点が開かれ、前記蓋が閉状態にある時は、前記凸状リブの押圧により前記可動板が開状態となって、前記磁石の磁気回路により前記リードスイッチの接点が閉じられるように構成したことにより、蓋が閉じられた状態では、磁石の磁気回路が形成されてリードスイッチの接点が閉じ、確実に蓋の閉状態を検知できる。また、蓋が開かれた状態にあっては、遮蔽板により所定の位置で磁気回路が遮断される為、リードスイッチの接点が開いて、確実に蓋の開状態を検知させることができる。
【００１９】
以下、発明の実施の形態について、図面を参照しながら説明する。なお、従来例と同じ構成のものは同一符号を付して説明を省略する。また、この実施の形態によって本発明が限定されるものではない。
【００２０】
（実施の形態１）
図１は本発明の実施の形態１における洗濯機の縦断面、図２は制御装置の概略ブロック回路図である。
【００２１】
図１、図２において、洗濯機の上部に設けられた上部枠体４０の前部に操作パネル２７が配設されており、操作パネル２７内部には制御装置１４が収設されている。
【００２２】
制御装置１４は、モータ６、排水弁８、給水弁９などの動作を制御し、洗い、すすぎ、脱水の一連の行程を逐次制御するもので、図２に示すように構成しており、マイクロコンピュータからなる制御手段１５と、制御手段１５からの信号によりモータ６、排水弁８、給水弁９などを制御する負荷駆動手段１６と、操作パネル２７内に配設したキースイッチからなるスイッチ入力手段１８と、発光ダイオードなどの表示装置からなる表示手段１９とを備え、この制御手段１５に、制御装置１４のプリント基板２３上に設けたリードスイッチ２０の出力を入力している。リードスイッチ２０は抵抗２１を直列に接続して直流電源２２に接続し、リードスイッチ２０と抵抗２１の接続点の電圧を制御手段１５に入力している。
【００２３】
上部枠体４０中央の衣類投入口１２を覆うように設けられた開閉自在の蓋２８の先端部裏面には、略直方体状の磁石２５が設けられている。また、蓋２８の先端部裏面には、磁石２５の左右に図３、図４で後述する一対の凸状リブ３０が形成され、蓋が閉じられた時に、操作パネル２７に形成された、図３、図４で後述する一対の貫通穴３１に遊嵌するようになっている。
【００２４】
制御装置１４のプリント基板２３上に設けられたリードスイッチ２０は、磁石２５と対向する位置に配設しており、リードスイッチ２０は、蓋２８が閉じられている状態で接点が閉じてハイ信号を制御手段１５に入力し、蓋２８が開いて磁石２５が離れると接点が開きロー信号を制御手段１５に入力するようにしている。そして、制御手段１５はこのリードスイッチ２０の信号により、蓋２８の開閉を検知するという蓋開閉検知機構となっている。
【００２５】
また、操作パネル２７の裏面側には、リードスイッチ２０の上方に位置し、鉄板材から成る一対の開閉自在の遮蔽板２６が設けられている。遮蔽板２６を含めた蓋開閉検知機構回りについては、以下、図３、図４で詳述する。
【００２６】
図３は、本発明の実施の形態における洗濯機の蓋閉状態の左右方向の要部断面図、図４は、同洗濯機の蓋開を始めた状態の左右方向の要部断面図である。
【００２７】
図３において、洗濯兼脱水槽３に洗濯物と洗剤を投入した後、蓋２８を閉じると、蓋２８先端部の裏面に設けられた磁石２５の左右に突設された一対の凸状リブ３０が、操作パネル２７に設けられた一対の貫通穴３１に遊嵌され、その凸状リブ３０により、操作パネル２７の裏面側に設置され閉じられている一対の遮蔽板２６が左右に押し開かれる。ここで、一対の遮蔽板２６は、それぞれ、操作パネル２７に固定された固定板３３と、固定板３３に軸支された可動板３４と、開閉バネ３２から成り、蓋２８が開いている状態では、開閉バネ３２の付勢力により、可動板３４が閉じられた状態となっており、図３のように、蓋２８が閉じられると、凸状リブ３０により可動板３４が開かれる。可動板３４が開かれると、磁石２５の磁気回路が矢印のように形成され、この磁気回路によりリードスイッチ２０の接点が閉じられ、そのハイ信号が制御手段１５に入力される。
【００２８】
ハイ信号が制御手段１５に入力されると、例えば、洗い行程であれば、給水弁９を作動して洗濯兼脱水槽３内に設定水位まで給水し、その後、撹拌翼２を回転駆動することにより、衣類に機械力を加えて、汚れを落とし、また、すすぎ行程においても、洗濯兼脱水槽３内に設定水位まで給水し、撹拌翼２を回転駆動することにより、衣類をすすぐ。脱水行程においては、排水弁８を駆動し、洗濯兼脱水槽３内の水を排水した後、モータ６を駆動し、洗濯兼脱水槽３を高速で回転して遠心力で洗濯物の脱水を行う。
【００２９】
図４において、脱水行程中に、洗濯物の状態を見るなどのために、蓋２８を開いていくと、凸状リブ３０により左右に開かれていた遮蔽板２６の可動板３４が、開閉バネ３２の付勢力により閉じられていき、凸状リブ３０先端が操作パネル２７の裏面に達した時に、完全に閉じられる。そして、可動板３４が閉じられたことにより、図の矢印のように磁石２５の磁気回路が遮断されてリードスイッチ２０の接点が開状態となり、ロー信号が制御手段１５に入力されて、制御手段１５はモータ６を停止し、減速機構兼クラッチ７に内蔵されているブレーキをかけて洗濯兼脱水槽３の回転を停止させる。
【００３０】
以上のように、固定板と、固定板に軸支され開閉自在の可動板、および開閉バネから成る一対の遮蔽板を操作パネルに設け、蓋に設けた磁石と蓋に形成した凸状リブにより、蓋が閉じられた状態では、磁石の磁気回路が形成されてリードスイッチの接点が閉じ、確実に蓋の閉状態を検知できる。また、蓋が開かれた状態にあっては、遮蔽板により所定の位置で磁気回路が遮断される為、リードスイッチの接点が開いて、確実に蓋の開状態を検知させることができる。
【産業上の利用可能性】
【００３１】
以上のように、本発明にかかる蓋開閉検知機構は、磁石やリードスイッチのばらつきを考慮せずとも、所定の位置で確実に蓋の開閉状態を検知させることが可能となるので、蓋開閉検知機構を有する他の電気機器等の用途に適用できる。
【符号の説明】
【００３２】
１２  衣類投入口
１４  制御装置
２０  リードスイッチ
２５  磁石
２６  遮蔽板
２７  操作パネル
２８  蓋
３０  凸状リブ
３１  貫通穴
３２  開閉バネ
３３  固定板
３４  可動板
４０  上部枠体
【図１】
2013103109.tif 000003
【図２】
2013103109.tif 000004
【図３】
2013103109.tif 000005
【図４】
2013103109.tif 000006
【図５】
2013103109.tif 000007
【図６】
2013103109.tif 000008